(57)【要約】【課題】ランプケース内の異常時に上昇した圧力を外部に逃がして減圧し、透光性カバーの脱落やランプカバーの等の不具合の発生を防止し、安全性を向上させることができる照明装置を提供する。【解決手段】光源と；光源を点灯させる点灯回路と；投光開口２ｂおよび光源と点灯回路とを収容する収容部を有するケース２と；ケース２の投光開口２ｂに配設された前面ガラス４と；ケースの収容部内の内圧が所定圧力以上に昇圧したときに、閉塞状態を解除して収容部内の圧力により破壊されて開口しこの内圧を外部に逃がすようにケースに設けられた薄肉部５と；を具備している。【選択図】  図１
2009135046.tif 000002
【特許請求の範囲】
【請求項１】
光源と；
光源を点灯させる点灯回路と；
投光開口および光源と点灯回路を収容する収容部を有するケースと；
ケースの投光開口に配設された透光性カバーと；
ケースの収容部内の内圧が所定圧力以上に昇圧したときに、閉塞状態を解除して収容部内の圧力を外部に逃がすようにケースに設けられた圧力逃がし手段と；
を具備していることを特徴とする照明装置。
【請求項２】
圧力逃がし手段は、ケース内の内圧が所定圧以上に昇圧したときに破損して開口しケース内外を連通させるようにケースに形成された薄肉部であることを特徴とする請求項１記載の照明装置。
【請求項３】
薄肉部は、その外面を所要の間隙を置いて被覆する被覆壁と薄肉部の肉厚方向に直交する方向の被覆壁の一端に形成される開口とを具備していることを特徴とする請求項２記載の照明装置。
【請求項４】
薄肉部は、その中心から外方へ放射状に延在する複数の切込みを形成していることを特徴とする請求項２記載の照明装置。
【請求項５】
各切込み片は、その肉厚を薄肉部の中心側の先端へ行くに従って漸次薄くなるように形成されていることをと特徴とする請求項４記載の照明装置。
【請求項６】
圧力逃がし手段は、ケースに穿設されてケース内外を連通させる通気孔と通気孔を常時閉じる一方、ケース内の内圧が所定圧以上に昇圧したときに、通気孔を開口させる逆止弁とを具備していることを特徴とする請求項１記載の照明装置。
【請求項７】
逆止弁は、ケース内の内圧が１．５気圧以上に昇圧したときに通気孔を開口させるように構成されていることを特徴とする請求項６記載の照明装置。
【請求項８】
圧力逃がし手段は、
ケースに穿設されてケース内外を連通させる通気孔と；
通気孔内に挿脱可能に挿入されてこの通気孔を閉じる一方、ケース内の内圧が所定圧以上に昇圧したときに、その内圧により外方へ押し出される軸部およびこの軸部の外端に一体に形成される通気孔の外側開口よりも大径の外フランジ部を備えケース内の内圧が所定圧以上に昇圧したときに通気孔から外部へ放出される弾性を有する止栓と；
を具備していることを特徴とする請求項１記載の照明装置。
【請求項９】
止栓は、通気孔の内側開口よりも大径かつ外フランジ部よりも小径でケース内の内圧が所定圧以上に昇圧したときに、その内圧により弾性変形して軸部と共に通気孔の外部へ押し出されるように構成されている内フランジ部を軸部内端に一体に形成していることを特徴とする請求項８記載の照明装置。
【請求項１０】
止栓は、内フランジ部に、この内フランジ部よりも大径のストッパを連結していることを特徴とする請求項９記載の照明装置。
【発明の詳細な説明】
【技術分野】
【０００１】
本発明は、例えば密閉形等の照明装置に関する。
【背景技術】
【０００２】
従来、密閉形照明装置の一例としては、外囲器であるランプケース内に、ＨＩＤランプ等の放電管を内蔵したランプ容器と、バラスト機能等を有する点灯回路を収容し、このランプケーの投光開口端に透光性カバーを嵌合させて防水、防埃のためにランプケースを密閉構造に形成した一体型ＨＩＤランプが知られている（例えば、特許文献１参照）。
【特許文献１】特表平１１−５０９６８０号公報
【発明の開示】
【発明が解決しようとする課題】
【０００３】
しかしながら、このような従来の密閉形の照明装置では、点灯回路がトラッキング等によって燃焼したり、ＨＩＤランプ等放電管の破裂等の異常時に、稀ではあるが、ランプケースと透光性カバーとの接合部が外れ、透光性カバーが脱落したり、ランプケースが破裂して大きな衝撃音等が発生するという不具合がある。
【０００４】
本発明は、このような事情を考慮してなされたもので、ランプケース内の異常時に上昇した圧力を外部に逃がして減圧し、透光性カバーの脱落やランプカバーの等の不具合の発生を防止し、安全性を向上させることができる照明装置を提供することを目的とする。
【課題を解決するための手段】
【０００５】
請求項１に係る照明装置は、光源と；光源を点灯させる点灯回路と；投光開口および光源と点灯回路を収容する収容部を有するケースと；ケースの投光開口に配設された透光性カバーと；ケースの収容部内の内圧が所定圧力以上に昇圧したときに、閉塞状態を解除して収容部内の圧力を外部に逃がすようにケースに設けられた圧力逃がし手段と；を具備していることを特徴とする。
【０００６】
本請求項１以下において、所定圧以上のケース内の高圧とは、ケース内の光源の破裂や点灯回路の異常昇温時や回路部品から放出されるガス等で急激に上昇する圧力であって、光源の通常のオン／オフの繰返しにより温度差に伴って発生する圧力よりも高い圧力をいう。
【０００７】
光源としては、ＨＩＤ（Ｈｉｇｈ  Ｉｎｔｅｎｓｉｔｙ  Ｄｉｓｃｈａｒｇｅ）ランプや蛍光ランプを使用することができる。
【０００８】
請求項２に係る照明装置は、圧力逃がし手段は、ケース内の内圧が所定圧以上に昇圧したときに破損して開口しケース内外を連通させるようにケースに形成された薄肉部であることを特徴とする。
【０００９】
請求項３に係る照明装置は、薄肉部は、その外面を所要の間隙を置いて被覆する被覆壁と薄肉部の肉厚方向に直交する方向の被覆壁の一端に形成される開口とを具備していることを特徴とする。
【００１０】
請求項４に係る照明装置は、薄肉部は、その中心から外方へ放射状に延在する複数の切込みを形成していることを特徴とする。
【００１１】
請求項５に係る照明装置は、各切込み片は、その肉厚を薄肉部の中心側の先端へ行くに従って漸次薄くなるように形成されていることをと特徴とする。
【００１２】
請求項６に係る照明装置は、圧力逃がし手段は、ケースに穿設されてケース内外を連通させる通気孔と通気孔を常時閉じる一方、ケース内の内圧が所定圧以上に昇圧したときに、通気孔を開口させる逆止弁とを具備していることを特徴とする。
【００１３】
請求項７に係る照明装置は、逆止弁は、ケース内の内圧が１．５気圧以上に昇圧したときに通気孔を開口させるように構成されていることを特徴とする。
【００１４】
請求項８に係る照明装置は、圧力逃がし手段は、ケースに穿設されてケース内外を連通させる通気孔と；通気孔内に挿脱可能に挿入されてこの通気孔を閉じる一方、ケース内の内圧が所定圧以上に昇圧したときに、その内圧により外方へ押し出される軸部およびこの軸部の外端に一体に形成される通気孔の外側開口よりも大径の外フランジ部を備えケース内の内圧が所定圧以上に昇圧したときに通気孔から外部へ放出される弾性を有する止栓と；を具備していることを特徴とする。
【００１５】
請求項９に係る照明装置は、止栓は、通気孔の内側開口よりも大径かつ外フランジ部よりも小径でケース内の内圧が所定圧以上に昇圧したときに、その内圧により弾性変形して軸部と共に通気孔の外部へ押し出されるように構成されている内フランジ部を軸部内端に一体に形成していることを特徴とする。
【００１６】
請求項１０に係る照明装置は、止栓は、内フランジ部に、この内フランジ部よりも大径のストッパを連結していることを特徴とする。
【発明の効果】
【００１７】
請求項１に係る照明装置によれば、ケース内の例えば光源の破裂や点灯回路等の異常昇温発生等により、ケース内の内圧が所定圧以上の高圧に上昇すると、そのケース内の高圧気体が圧力逃がし手段の閉塞状態が解除されて外部へ放出されるので、ケース内は減圧される。
【００１８】
このために、ケースや前面ガラス自体の破損や、このケースと口金や前面ガラス等との接合部の破損、寿命劣化部の破損を未然に防止し、または抑制することができ、安全性を向上させることができる。
【００１９】
請求項２に係る照明装置によれば、ケース内の所定圧以上の高圧気体は、圧力逃がし手段の一例であるケースの薄肉部を破壊して開口させ、外部へ放出されるので、請求項１に係る発明とほぼ同様の作用効果を奏することができる。
【００２０】
請求項３に係る照明装置によれば、前記請求項２に係る発明の薄肉部の外面を被覆壁により被覆しているので、この照明装置をユーザが取り扱っている際に、誤って薄肉部に指が触れて破損させる虞を低減することができる。
【００２１】
また、薄肉部の外面を被覆壁により被覆しているので、薄肉部が直接目視されることを防止または抑制することができるので、外観上の美観を向上させることができる。
【００２２】
さらに、この被覆壁の一端には、開口が形成されているので、薄肉部を破壊したケース内の高圧気体をこの被覆壁の開口を通して外部に放出させて、ケース内の内圧を減圧させることができる。
【００２３】
請求項４に係る照明装置によれば、圧力逃がし手段の一例である薄肉部が放射状の複数の切込みからなるので、ケース内の高圧気体がこの薄肉部を破壊して外部へ放出されてケース内を減圧することができる確率を高めることができる。
【００２４】
請求項５に係る照明装置によれば、請求項４に係る切込み薄肉部の切込み片は、その中心側先端部へ向けて肉厚が漸次薄くなる先細状に形成されているので、弾性を有する。
【００２５】
このために、これら薄肉部の切込み片先端部は、ケース内の高圧気体により破壊されずに弾性変形して外部へ放出させることができる。このために、その高圧気体の放出後は各切込み片が弾性的に復元して原状に復帰するので、再使用することができる。
【００２６】
請求項６に係る照明装置によれば、圧力逃がし手段がケースの通気孔とこの通気孔に配設された逆止弁であるので、ケース内の内圧が所定圧以上に昇圧した場合には、そのケース内の高圧気体がこの逆止弁を通して外部へ放出されてケース内の内圧が減圧される。この減圧後は逆止弁が原状に自動復帰するので、この逆止弁を繰り返し使用することができる。
【００２７】
請求項７に係る照明装置によれば、ケース内の内圧が１．５気圧以上に昇圧すると、ケース内の高圧気体が逆止弁を通って外部へ放出されるので、ケース内の内圧を１．５気圧未満に維持することができる。
【００２８】
請求項８に係る照明装置によれば、ケース内の内圧が所定圧以上に昇圧すると、そのケース内の高圧気体が止栓の軸部を外部へ押し出して通気孔を開口させる。
【００２９】
このために、ケース内の高圧気体が通気孔を通って外部へ放出されるので、ケース内は減圧される。
【００３０】
請求項９に係る照明装置によれば、止栓を、その内側フランジにより通気孔の内側に支持する支持力を増強させることができる。
【００３１】
しかも、ケース内の内圧が所定圧以上に昇圧したときには、その圧力により内フランジ部が弾性変形して軸部と共に外部へ放出されて通気孔が開口する。
【００３２】
これにより、ケース内の高圧気体を通気孔を通して外部へ放出してケース内を減圧することができる。
【００３３】
請求項１０に係る照明装置によれば、前記請求項９に係る止栓の内フランジ部と軸部が通気孔を通って外部へ押し出されて通気孔が開口した場合でも、この通気孔の内側開口端にストッパが引っ掛かるので、このストッパに連結された止栓がケースから外部へ飛散したり、脱落することを防止することができる。
【発明を実施するための最良の形態】
【００３４】
以下、本発明の実施形態を添付図面に基づいて説明する。なお、これら添付図面中、同一または相当部分には同一符号を付している。
【００３５】
図１は本発明の第１の実施形態に係る照明装置１の一部を切欠き、その切欠き断面を縦断面により示す正面図である。
【００３６】
この図１に示すように照明装置１はＰＢＴ（ポリブチレンテレフタレート）やポリカーボネート等の合成樹脂により肉厚が所定厚ｔ０のほぼ逆円錐台状に形成されたケース２を具備している。
【００３７】
このケース２は、その縮径端部（図１では上端部）２ａに所要の口金３を固着する一方、その大径端部（図１では下端部）の投光開口端２ｂに、透光性カバーとしての前面ガラス４を嵌合することによりケース２内をほぼ密閉する密閉形に構成されている。
【００３８】
ケース２は、その内部に、光源の一例である図示しないＨＩＤランプと、このＨＩＤランプを点灯する点灯回路等を収容しており、点灯回路には口金３の内面にリード線により電気的に接続している。
【００３９】
そして、ケース２の大径端部には、投光開口端２ｂの近傍において、例えば矩形状で所要大の複数の薄肉部５，５，５，…を周方向に所要の間隔を置いて一体に形成している。
【００４０】
各薄肉部５は、これ以外の部分のケース２の肉厚ｔ０よりも所定厚薄い肉厚ｔａ（ｔ０＞ｔａ）により、図１中その上端からほぼ垂直に垂下する垂直壁に形成されている。各薄肉部５は、例えばＨＩＤランプの破裂や点灯回路の不具合等異常発生時にケース２の収容部内の内圧が所定圧（例えば１．５気圧）以上の高圧に昇圧したときに、この高圧により破壊されて開口し、ケース２内外の閉塞状態を開放して連通させる一方、ＨＩＤランプの通常の点，消灯（オン／オフ）の繰返しに伴う温度差によって生じるケース２内の内圧の上昇ないし変動では破壊されない強度となるように肉厚ｔａが選定され、一体成型されている。
【００４１】
また、各薄肉部５には、その外面を所要の間隙ｇを置いて被覆する外方に若干膨出する円弧状の被覆壁６をそれぞれ一体に連成している。各被覆壁６は、各薄肉部５を有しない外周壁７の一部と周方向で一体に連成されており、各薄肉部５の肉厚ｔａ方向に直交する方向である各被覆壁６の一端（図１では上端）側にて、各薄肉部５の間隙ｇに連通する矩形状の開口６ａ，６ａ，…をそれぞれ形成している。
【００４２】
したがって、万一ＨＩＤランプが破裂し、あるいは点灯回路の不具合による異常昇温によりケース２内の内圧が所定圧以上に昇圧すると、このケース２内の高圧気体が薄肉部５の少なくともいずれかを破壊して閉塞状態を開放させる。
【００４３】
このために、ケース２の内部がこの薄肉部５の開口と、間隙ｇ、被覆壁６の開口６ａを通して外部と連通するので、ケース２内の高圧気体が外気に放出され、ケース２内の内圧が減圧される。
【００４４】
これにより、ケース２や前面ガラス４の破裂や破損を防止または抑制することができる。
【００４５】
また、各被覆壁６の開口６ａは、ケース２の軸方向に開口しているので、このケース２をモールド成型する際に金型から軸方向に抜くことが可能なので、その抜きの容易性を向上させることができる。
【００４６】
なお、この照明装置１を図１で示すように前面ガラス４が下向きになるような状態で使用する場合には、各被覆壁６内の間隙ｇ内に開口６ａから雨水が浸入し、溜る可能性があるので、各被覆壁６には、その雨水等を外部に排水する排水孔を形成してもよい。また、薄肉部５は１箇所でもよく、１箇所以上であればよい。
【００４７】
図２は本発明の第２の実施形態に係る照明装置１Ａの一部を切欠き、その切欠き断面を縦断面により示す正面図である。
【００４８】
この照明装置１Ａは、合成樹脂製の逆円錐台状のケース２Ａに、図１で示す薄肉部５と被覆壁６等に代えて、薄肉切込み部８を形成した点に特徴がある。
【００４９】
すなわち、照明装置１Ａは、合成樹脂製逆円錐台状のケース２Ａの円筒状の縮径端部２ａに、例えばＥ２６型等のねじ込み形の口金３ａを外嵌し固着する一方、大径端部の投光開口端２ｂに、例えば外方に凸の円弧状の前面ガラス４Ａを嵌合し、この嵌合部外周にリング状の固定リング９を外嵌して固定することによりケース２Ａ内を密閉する密閉形に形成している。
【００５０】
このケース２Ａ内には、光源の一例であるＨＩＤランプ１０、このＨＩＤランプ１０からの光を投光開口２ｂ側へ反射させる椀状の反射体１１、ＨＩＤランプ１０を点灯させる点灯回路１２等をそれぞれ収容している。点灯回路１２は点灯回路本体を形成する、例えば縦基板１２ａの一面または両面等に図示しない点灯回路部品を実装して点灯回路に構成されている。
【００５１】
薄肉切込み部８は、例えば所要大の円形に形成され、ケース２Ａ本体の肉厚ｔ０よりも所定厚薄い肉厚ｔｂ（ｔｂ＜ｔ０）に形成されている。
【００５２】
また、薄肉切込み部８は、その中心から遠心方向へ放射状に延在する複数の切込みｃ，ｃ，…を形成して複数のほぼ扇形の切片８ａ，８ａ，…をそれぞれ形成している。
【００５３】
したがって、ケース２Ａ内の内圧が所定圧以上に異常に昇圧したときは、ケース２Ａ内の高圧気体が薄肉切込み部８の切片８ａ，８ａを破壊して開口を形成し、外部へ放出される。このために、ケース２Ａ内の異常に高い内圧により、ケース２Ａ自体の破損やＨＩＤランプ１０、反射体１１、点灯回路１２の破損を防止または抑制することができる。
【００５４】
なお、図３（Ａ）で示す薄肉切込み部８の各切片８ａを、図３（Ｂ）で示す各切片８ｂのように、その肉厚ｔｃを根元部から中心へ向けて漸次薄くなるように先細状に形成してもよい。
【００５５】
これによれば、各切片８ｂが、先細状に形成されているので、その先端部に弾性を付与することができる。したがって、ケース２Ａ内の異常に高まった高圧気体が切片８ｂの先端部を外方へ押し広げるように弾性変形させて外部へ放出されて減圧した後は、切片８ｂが弾性復元力により再び原状に復帰して再びこの薄肉切込み部８を閉じさせることができるので、再使用することができる。なお、この薄肉切込み部８は１個以上設けてもよく、また、この切込み部む８の外面を図１で示す被覆壁６により被覆するように構成してもよい。
【００５６】
図４は本発明の第３の実施形態に係る照明装置１Ｂの一部を切り欠き、その切欠き断面を縦断面で示す正面図、図５はその要部縦断面図である。
【００５７】
この照明装置１Ｂは、上記図２で示す照明装置１Ａにおいて、その薄肉切込み部８を、逆止弁１３により開閉される、例えば円形の通気孔１４に置換した点に特徴がある。
【００５８】
図５にも示すように、ケース２Ａは、その投光開口端２ｂ近傍において、その肉厚方向に貫通する、例えば円形の通気孔１４を形成している。
【００５９】
この通気孔１４には逆止弁１３を埋設している。逆止弁１３は、その弁ケーシング１３ａを通気孔１４に同心状に埋設している。弁ケーシング１３ａはその先細状の入口端部１３ｂを通気孔１４の入口１４ａ側に一致させる一方、弁ケーシング１３の出口端部１３ｃを通気孔１４の出口１４ｂ側に一致させ、かつこの出口端部１３ｃをケース２Ａの外周面よりも外方へ若干突出させている。この弁ケーシング１３の出口端部１３ｃの外周には、シリコーン樹脂等の接着剤１５が例えば環状に塗布されてケース２Ａ外面に固着されている。
【００６０】
弁ケーシング１３ａの先細状入口端部１３ｂは、その先細形状に適合した先細形状の弁体１３ｅにより閉じられており、この弁体１３ｅを弾性的に支持するコイルばね１３ｆにより、入口端部１３ｂを常時閉じるように付勢されている。
【００６１】
このコイルばね１３ｆの弾性力は、ケース２Ａ内の内圧が上記所定圧以上に昇圧したときに、弁体１３ｃを出口端部１３ｃ側へ後退するように弾性的に軸方向に圧縮させて通気孔１４を開口させるように設定されている。
【００６２】
したがって、ケース２Ａ内の内圧がＨＩＤランプ１０や点灯回路１２の異常により所定圧以上に昇圧すると、その内圧により、逆止弁１３の弁体１３ｅがコイルばね１３ｆのばね力に抗して出口端部１３ｃ側へ押圧され、入口端部１３ｂが開口する。
【００６３】
このために、通気孔１４が開口するので、この通気孔１４を通してケース２Ａ内の高圧気体が外部へ放出される。その結果、ケース２内が減圧するので、ケース２内の内圧の異常昇圧によるケース２Ａ自体の破損やケース２Ａ内のＨＩＤランプ１０、反射体１１、点灯回路１２、これら同士の接合部等の破損を防止または抑制することができる。
【００６４】
また、ケース２内の内圧が減圧されると、逆止弁１３がコイルばね１３ｆの弾性復元力により再び通気孔１４を閉じるように自動的に原状復帰するので、繰り返し使用することができる。
【００６５】
なお、この逆止弁１３を具備した通気孔１４はケース２Ａに複数設けてもよい。この場合は複数の通気孔１４によりケース２Ａ内の高圧気体を外部へ排気することができるので、その排気時間の短縮を図ることができる。
【００６６】
図６は本発明の第４実施形態に係る照明装置１Ｃの一部を切欠き、その切欠き断面を縦断面により示す正面図、図７はその要部縦断面図である。
【００６７】
この照明装置１Ｃは、上記図２で示す照明装置１において、その薄肉切込み部８を、弾性を有する止栓１６により閉塞された通気孔１７に置換した点に特徴を有する。
【００６８】
図７にも示すようにケース２Ａは、その投光開口端２ｂ近傍において、その板厚方向に貫通する、例えば所要大円形の通気孔１７を形成し、この通気孔１７に弾性材よりなる止栓１６を弾性的に嵌合させて閉塞させている。
【００６９】
止栓１６はシリコーン樹脂等により例えば断面がＨ字形をなすように一体に形成され、通気孔１７に挿脱可能に挿入される軸部１６ａと、この軸部１６ａの外端に一体に形成される軸部１６ａよりも大径の外フランジ部１６ｂと、軸部１６ａの内端に一体に形成されて軸部１６ａよりも大径であるが、外フランジ部１６ｂよりも小径の内フランジ部１６ｃと、を一体に具備している。外フランジ１６ｂはケース２Ａの通気孔１７周りの外面に密着され、内フランジ１６ｃはそのケース２Ａの内面に密着される。
【００７０】
内フランジ部１６ｂはケース２Ａ内の内圧が上記異常高圧に昇圧したときに、その内圧により弾性的に変形して通気孔１７からケース２Ａ外へ押し出される形状と寸法、素材により形成されている。
【００７１】
この内フランジ部１６ｃは、その外面中央部に、通気孔１７の長さよりも十分に長く、かつ十分に小径の紐１８等の柔軟性を有する連結部材により、例えば棒状のストッパ１９の軸方向中間部を連結している。棒状のストッパ１９は通気孔１７の内側開口端の直径よりも十分に小径かつ十分に長く形成され、通気孔１７が開口しても、その内側開口端に引っ掛かり、通気孔１７から外部へ放出されない形状や寸法、素材により形成されている。
【００７２】
したがって、ケース２Ａ内の内圧が上記異常高圧に昇圧すると、この高圧により止栓１６の内フランジ部１６ｃが通気孔１７内へ押し込まれるように弾性変形して通気孔１７からケース２Ａ外へ押し出される。
【００７３】
これにより通気孔１７から止栓１６が外方へ脱落するので、通気孔１７が開口する。その結果、ケース２Ａ内の高圧気体がこの通気孔１７を通って外部へ放出されるので、ケース２内が減圧される。
【００７４】
また、止栓１６が通気孔１７から脱落しても棒状のストッパ１９が通気孔１７の内側開口端に係止されるので、止栓１６がケース２Ａから脱落しても、その下方等周囲へ飛散され、周囲環境を汚すことを有効に防止することができる。
【図面の簡単な説明】
【００７５】
【図１】本発明の第１の実施形態に係る照明装置の一部切欠正面図。
【図２】本発明の第２の実施形態に係る照明装置の一部切欠正面図。
【図３】（Ａ）は図２の要部断面図、（Ｂ）は同図（Ａ）の変形例の要部断面図。
【図４】本発明の第３の実施形態に係る照明装置の一部切欠正面図。
【図５】図４の要部断面図。
【図６】本発明の第４の実施形態に係る照明装置の一部切欠正面図。
【図７】図６の要部断面図。
【符号の説明】
【００７６】
１，１Ａ，１Ｂ，１Ｃ…照明装置、２，２Ａ…ケース、３，３ａ…口金、４，４Ａ…前面ガラス、５…薄肉部、６…被覆壁、６ａ…開口、８…薄肉切込み部、８ａ，８ｂ…切片、１０…ＨＩＤランプ、１１…反射体、１２…点灯回路、１３…逆止弁、１３ｅ…弁体、１３ｆ…コイルばね、１４…通気孔、１６…止栓、１６ａ…軸部、１６ｂ…外フランジ部、１６ｃ…内フランジ部、１７…通気孔、１８…紐、１９…ストッパ。
【図１】
2009135046.tif 000003
【図２】
2009135046.tif 000004
【図３】
2009135046.tif 000005
【図４】
2009135046.tif 000006
【図５】
2009135046.tif 000007
【図６】
2009135046.tif 000008
【図７】
2009135046.tif 000009